(57)【要約】【課題】整経が確実に容易に実施でき、スムーズに隣り合う経糸を上下させて、杼口を簡単に形成できる綜絖具であって、細い糸を高密度に整経することが可能な製品をも、量産が容易で、比較的安価に提供可能とする。【解決手段】実質的に逆Ｕ字型端面を有する半筒状ユニット２を複数個準備し、隣接する前記ユニット２の前記逆Ｕ字型端面を相互に連結してなるものを綜絖部本体１とし、ユニット２の壁部には、その天井部を通るスリット４が複数本、一のスリットが、前記天井部の手前側の深さＸから前記天井部の背面側の深さＹまで伸びており、それに隣接するスリットは、天井部３の背面側の深さＸから天井部３の手前側の深さＹまで伸びているという状態で、深さが上下する櫛歯状に設けられており、ユニット２を連結した綜絖部本体１の両端部は、前記枠体上で、ユニット２をその天井部３を前後に傾斜させて使用できる支持具５に固定した。【選択図】図１
2010144258.tif 000002
【特許請求の範囲】
【請求項１】
手織機の枠体上で使用するものであって、綜絖部本体が、実質的に逆Ｕ字型端面を有する半筒状ユニットを複数個準備し、隣接する前記ユニットの前記逆Ｕ字型端面を相互に連結してなるものであり、
前記ユニットの壁部には、その天井部を通るスリットが複数本、一のスリットが、前記天井部の手前側の深さＸから前記天井部の背面側の深さＹまで伸びており、それに隣接するスリットは、前記天井部の背面側の深さＸから前記天井部の手前側の深さＹまで伸びているという状態で、深さが上下する櫛歯状に設けられており、
前記ユニットを連結した綜絖部本体の両端部は、前記枠体上で、前記ユニットをその天井部を前後に傾斜させて使用できる支持具に固定されていることを特徴とする綜絖具。
【請求項２】
前記支持具が、下方に逆台形部分を有するもので、前記ユニットを連結した綜絖部本体の両端部が、前記支持具の逆台形部分の傾斜面上端部近傍で、前記支持具の中央部に位置するように、固定されていることを特徴とする請求項１の綜絖具。
【請求項３】
前記支持具の外部に、前記逆台形部分の下端より下方に突出する板状部分が、前記逆台形部分の底辺に対して直交するように設けられていることを特徴とする請求項２の綜絖具。
【請求項４】
隣接する前記ユニットの相対する前記逆Ｕ字型端面に、凸部と凹部が設けられており、該凸部と凹部を嵌合させて、隣接する前記ユニットを連結するものであることを特徴とする請求項１〜３いずれか１項の綜絖具。
【請求項５】
前記ユニットの下端部が筒状に形成されており、該筒状部分の穴に棒を通して、前記ユニットを連結し、該棒を前記支持具に固定するようになっていることを特徴とする請求項１〜４いずれか１項の綜絖具。
【請求項６】
前記スリットの深さＸとＹが１：２〜１：６であることを特徴とする請求項１〜５いずれか１項の綜絖具。
【請求項７】
前記ユニットがプラスチック成形体からなるものであり、前記スリット一個に設けられたスリットの数が３〜３０であることを特徴とする請求項１〜６いずれか１項の綜絖具。
【請求項８】
前記スリットの幅が０．４〜１．５ｍｍであることを特徴とする請求項１〜７いずれか１項の綜絖具。
【発明の詳細な説明】
【技術分野】
【０００１】
本発明は、手織機等における杼口形成のための綜絖具に関する。
【背景技術】
【０００２】
従来、並設された複数の細棒状の各綜絖に設けられた孔に経糸を通し、所定の綜絖を引き上げることで所定の経糸を引き上げて、経糸間に杼口を形成する構成の綜絖具が用いられてきた。しかし、近年、かかる綜絖具に代わる取扱いの簡便な簡易型の綜絖具として、棒状体の綜絖具の長手方向に複数の溝部を並設し、この溝部内に、綜絖具の回転に伴って上下する部分を設けて、各溝部に掛置かれた経糸を、綜絖具を回転させることにより上下させて、経糸間に杼口を形成するものが開発されている（特許文献１、特許文献２、特許文献３等）。
しかし、これら簡易型のいずれの綜絖具も、使用中に、溝部から経糸が外れてしまう、経糸がスムーズに上下しない等の使用上の問題や、その複雑な構成のために、製造効率が悪く、量産が困難である、製造可能な綜絖具の形状に制限がある等の問題がある。
【特許文献１】実用新案出願公告昭６２−２０４６０号公報
【特許文献２】特開２００１−９８４４１号公報
【特許文献３】特許３６８４１６７号公報
【発明の開示】
【発明が解決しようとする課題】
【０００３】
そこで、本発明は、前記簡易型の綜絖具であって、整経が容易で、使用中、経糸を、外れたりずれたりすることのなく確実に保持でき、スムーズに隣り合う経糸を上下させて、適宜適切な杼口を簡便に形成でき、しかも、細い糸を高密度に整経することができる装置をも、量産が容易であるものを提供することを課題とする。
【課題を解決するための手段】
【０００４】
本発明では、綜絖部本体を一体成形可能なユニットを連結して製造できるものとすることにより、上記課題を解決した。
即ち、本発明の綜絖具は、手織機の枠体上で使用するものであって、綜絖部本体が、実質的に逆Ｕ字型端面を有する半筒状ユニットを複数個準備し、隣接する前記ユニットの前記逆Ｕ字型端面を相互に連結してなるものであり、
前記ユニットの壁部には、その天井部を通るスリットが複数本、一のスリットが、前記天井部の手前側の深さＸから前記天井部の背面側の深さＹまで伸びており、それに隣接するスリットは、前記天井部の背面側の深さＸから前記天井部の手前側の深さＹまで伸びているという状態で、深さが上下する櫛歯状に設けられており、
前記ユニットを連結した綜絖部本体の両端部は、前記枠体上で、前記ユニットをその天井部を前後に傾斜させて使用できる支持具に固定されていることを特徴とする。
【０００５】
かかる本発明の綜絖具は、枠体の前後に経糸巻き出し軸と経糸（又は製織した布帛）の巻き取り軸を備えた手織機本体の左右の縦枠に、この縦枠に直交するように、設置することにより、経糸は、前記巻き出し軸と巻き取り軸の間で、綜絖部本体のスリットに嵌めるだけで、容易に整経でき、その後、支持具を前後に傾斜させるだけで、前記スリットに嵌めた経糸の高さを相互に変化させ、経糸間に杼口を形成することができるのである。、
【０００６】
支持具は、手織機の枠体上に間接的に取り付けて使用するものであってもよいが、下方に逆台形部分を有するものとし、前記ユニットを連結した綜絖部本体の両端部を、該支持具の逆台形部分の傾斜面上端部近傍で、前記支持具の中央部に位置するように、固定することにより、この逆台形部分の底面を前記枠体上に置き、該逆台形部分の前後の斜面が交互に前記枠体に接するように前後動するだけで、杼口の形成ができ、非常に扱い易いものとなる。
【０００７】
なお、本発明において、綜絖部本体の端部に設けられた支持具の外部に、前記逆台形部分の下端より下方に突出する板状部分を、前記逆台形部分の底辺に対して直交するように設けることにより、前記逆台形部分の底面と前記板状部分の間に形成される逆Ｌ字型断面部分を、手織機本体の縦枠に確実に適合できるため、綜絖具の操作がより安定して実施可能となる。
【０００８】
また、本発明では、ユニットの相対する前記逆Ｕ字型端面に、凸部と凹部を設け、一のユニットの凸部を隣接するユニットの凹部に嵌合させて、隣接するユニットを密に連結するようにするのが好ましい。
【０００９】
かかるユニットを連結して構成される綜絖部本体は、安定して操作可能な状態で、支持具に固定される必要がある。その固定方法は、特に限定されないが、例えば、各ユニットの下端部を筒状に形成し、該筒状部分の穴に棒を通して、前記ユニットを連結し、該棒を支持具に固定するようにしてもよい。
【００１０】
なお、ユニットに形成されるスリットは、ユニットの天井部の手前側と背面側で異なる深さとなるように形成されており、それが隣接するスリット毎に交互に深さが異なるようになっていることにより、製織時、経糸間に杼口の形成が確実となるのである。深さ（ユニット２の頂部からスリット４の底面までの距離）ＸとＹの比率は１：２〜１：６程度であればよく、特に１：３〜１：５程度であるのが好ましい。
【００１１】
このようなユニットは、プラスチック成形で容易に形成できるため、あらかじめユニットを形成しておき、手織機本体の大きさに応じて、ユニットを連結し、綜絖具に形成することができ、比較的安価に、量産が可能となる。
【００１２】
スリット一個に設けられるスリットの数は、通常３〜３０程度でよく、５〜１５程度であるのが好ましい。また、スリットの幅は、使用する糸の太さや織密度などによって、適当に選べばよいが、本発明では、０．４〜１．５ｍｍ程度、特に１．０ｍｍ以下という狭い幅のスリットの製品をも安定して供給することが可能となる。
【００１３】
なお、本発明において、実質的に逆Ｕ字型とは、Ｕ字型と同様に機能するものを意味するものであり、純粋なＵ字型だけでなく、左右対称の中空の山型、各種円弧状又はそれを押しつぶした形状などをも含むものである。
【発明の効果】
【００１４】
本発明の綜絖具は、組み立て構造で製造できるため、製造、運搬、保存いずれにおいても非常に扱い易いものとなる。特に、比較的小さな金型で、ユニットをプラスチック成形でき、それを連結することにより、所望の長さの綜絖部本体を任意に形成できるため、経済的であり、また、非常に細かいスリットからなる製品をも、安定して製造可能となる。
【発明を実施するための最良の形態】
【００１５】
次に、本発明を図面に示す実施例に従って説明する。
図１の例では、綜絖部本体１を、実質的に逆Ｕ字型端面を有する半筒状ユニット２を左右に連結して形成したものであり、ユニット２の壁部には、その天井部３を通るスリット４が複数本設けられている。その一のスリット２が、前記天井部３の手前側の深さＸから前記天井部の背面側の深さＹまで伸びており、それに隣接するスリットは、前記天井部の背面側の深さＸから前記天井部の手前側の深さＹまで伸びているという状態で、深さが上下する櫛歯状に設けられており、
ユニット２を連結した綜絖部本体１の両端部が、手織機の枠体１３上で、ユニット２をその天井部３を前後に傾斜させて使用できる支持具５に固定されている。この例では、支持具５は、下方に逆台形部分６を有しており、綜絖部本体１の両端部は、この逆台形部分６の傾斜面上端部近傍で、支持具５の中央部に位置するように、固定されている。
なお、この例では、支持具５の外部には、逆台形部分６の下端より下方に突出する板状部分７が、逆台形部分６の底辺に対して直交するように設けられており、前記逆台形部分の底面と前記板状部分の間に形成されるＬ字型断面部分を、手織機本体の縦枠に嵌めて、使用できるようになっている。
【００１６】
次に、図２〜図４に他の一例を示す。この例では、ユニット２の逆Ｕ字型端面に、それぞれ凸部８と凹部９が設けられており、隣接するユニット２の凸部８と凹部９を嵌合させて、隣接するユニット２を連結するようになっており、また、ユニット２の下端部は筒状に形成されており、この筒状部分１０の穴１１に棒１２を通して、ユニット２を連結し、この棒１２を支持具５に固定するようになっている（図４参照）。
【００１７】
各ユニット２には、深さ（ユニット２の頂部からスリット４の底面までの距離）ＸとＹの比率が１：４．５であるスリット４が、１１．５個ずつ設けられている。なお、この例におけるスリット４の幅は０．８ｍｍである。
【００１８】
また、この例では、各ユニット２の左右端面には、隣接するユニット２と連結することで、一のスリット４が形成できるようになっている。例えば、天井部３の手前側では、隣接するユニット２の連結で、スリット４の短い側の端部（深さＸ）が形成され、天井部３の背面側では、スリット４の長い側の端部（深さＹ）が形成されるようになっており、ここでは、隣接するユニット２の逆Ｕ字型端面に設けられた凸部８と凹部９を嵌合させると同時に、ユニット２の短い側の端部（深さＸ）が形成される端面１４ａと１４ｂの接合面を接着剤で接合して、ユニット２の間のスリット２の形成を確実なものとしている（図２及び３参照）。
【００１９】
なお、各ユニット２を連結してなる綜絖部本体１の両端部は、支持具５の逆台形部分６の傾斜面上端部近傍で、支持具５の中央部に位置するように取り付けられており、支持具５の外部には逆台形部分６の底辺に直交するように下方に突出する板状部分７が設けられており、逆台形部分６の底辺と板状部分７で形成される逆Ｌ字型断面部分を手織機本体の枠に嵌めて使用できるようになっている（図３及び４参照）。
【００２０】
かかる本発明の綜絖具は、支持具５の逆台形部分６の底面を手織機本体の枠上に置き、綜絖部本体の各スリット４に手前から背側または背側から手前に経糸を掛け、整経した後、支持具５の逆台形部分６を、その前後の斜面１５ａ、１５ｂが枠上に位置するように、交互に転倒させることにより、転倒させた側と反対側のスリット４の高い方の底面（深さＸ）に位置する経糸のみを持ち上げることができ、杼口が容易に形成でき、容易に品質の良い製織が可能となる。
【図面の簡単な説明】
【００２１】
【図１】図１は、本発明の綜絖具の一例における使用状態を示す斜視図である。
【図２】図２は、本発明の一例で使用する綜絖部本体を構成するユニットを示すもので、Ａは側面図、Ｂは平面図である。
【図３】図３は、図２のユニットの説明図で、Ａは正面図、Ｂは背面図、Ｃは保持具に取り付けた状態の正面図である。
【図４】図４は、図２のユニットを保持具に取り付けた状態を示す要部側面図である。
【符号の説明】
【００２２】
１  綜絖部本体
２  ユニット
３  天井部
４  スリット
５  支持具
６  逆台形部分
７  板状部分
８  凸部
９  凹部
１０  筒状部分
１１  穴
１２  棒
１３  手織機の枠体
１４ａ、１４ｂ  端面
１５ａ、１５ｂ  斜面
Ｘ、Ｙ  深さ
【図１】
2010144258.tif 000003
【図２】
2010144258.tif 000004
【図３】
2010144258.tif 000005
【図４】
2010144258.tif 000006